(57)【要約】【課題】室内の湿度上昇を抑制しながら、次亜塩素酸を含む電解水のミストを室内に適度に放出できるようにして除菌効果を高めること。【解決手段】塩素イオンを含む水を電気分解して次亜塩素酸を含む電解水を生成する電解水生成装置１と、加圧空気を送風する送風機８と、電解水生成装置１から電解水流路５を介して供給された電解水と送風機８から空気流路１０を介して供給された加圧空気とを混合し、微細ミストの電解水を含む加圧空気を噴出する気液混合器６とを備えている。【選択図】図１
2011087905.tif 000002
【特許請求の範囲】
【請求項１】
塩素イオンを含む水を電気分解して次亜塩素酸を含む電解水を生成する電解水生成装置と、加圧空気を送風する送風機と、前記電解水生成装置から電解水流路を介して供給された電解水と送風機から空気流路を介して供給された加圧空気とを混合して微細ミストの電解水を含む加圧空気を噴出する気液混合器とを備えたことを特徴とする空気除菌装置。
【請求項２】
塩素イオンを含む水を電気分解して次亜塩素酸を含む電解水を生成する電解水生成装置と、加圧空気を送風する送風機と、前記電解水生成装置から電解水流路を介して供給された電解水と前記送風機から空気流路を介して供給された加圧空気とを混合し、微細ミストの電解水を含む加圧空気を噴出する気液混合器とを備え、前記空気流路には放電装置が組み込まれていることを特徴とする空気除菌装置。
【請求項３】
前記電解水流路及び空気流路にはそれぞれ流量調整手段が設けられていることを特徴とする請求項１又は請求項２に記載の空気除菌装置。
【請求項４】
前記微細ミストは、５乃至２０μｍの粒径のものを含むことを特徴とする請求項１乃至３のうち、いずれかに記載の空気除菌装置。
【請求項５】
前記電解水の塩素濃度を１乃至１０ｐｐｍとしたことを特徴とする請求項１乃至４のうち、いずれかに記載の空気除菌装置。
【請求項６】
所定空間内の相対湿度上昇が１〜５％となるようなミスト量の微細ミストを前記気液混合器から噴出することを特徴とする請求項５に記載の空気除菌装置。
【発明の詳細な説明】
【技術分野】
【０００１】
本発明は、細菌、ウィルス、真菌等の空気浮遊微生物（以下、単にウィルス等という）が除去可能な空気除菌装置に関する。
【背景技術】
【０００２】
この種の空気除菌装置として、塩水や水道水等の塩素イオンを含む水を電解水生成装置で次亜塩素酸を含む電解水とし、この電解水を超音波振動子を有する水槽でミスト状にし、送風機で空気と混合して室内に放出することにより、室内の空気中に含まれるウィルス等に電解ミストを直接接触させ、除菌を行うものが提案されている（特許文献１参照）。
【先行技術文献】
【特許文献】
【０００３】
【特許文献１】特開２００７−２３６５７６号公報
【発明の概要】
【発明が解決しようとする課題】
【０００４】
しかしながら、この空気除菌装置では電解水を超音波振動子でミスト状にしているので、空気と一緒に水が多量に放出されて室内の湿度が上昇し、居住者に不快感を与える心配があった。また、超音波振動子が腐食しやすいため、電解水の次亜塩素酸濃度を高くして除菌性能を高めることができなかった。
【０００５】
また、電解水をフィルターに供給し、このフィルターに空気を供給して電解水を気化させるものも知られているが、このものでも室内の湿度が上昇するとともに、高濃度の電解水のミストを発生させることができない欠点があった。
【０００６】
そこで本発明は、前述した問題点に鑑み、室内の湿度上昇を抑制しながら、次亜塩素酸を含む電解水のミストを室内に適度に放出できるようにして除菌効果を高めることを目的とする。
【課題を解決するための手段】
【０００７】
このため第１の空気除菌装置に係る発明は、塩素イオンを含む水を電気分解して次亜塩素酸を含む電解水を生成する電解水生成装置と、加圧空気を送風する送風機と、前記電解水生成装置から電解水流路を介して供給された電解水と送風機から空気流路を介して供給された加圧空気とを混合して微細ミストの電解水を含む加圧空気を噴出する気液混合器とを備えたことを特徴とする。
【０００８】
第２の空気除菌装置に係る発明は、塩素イオンを含む水を電気分解して次亜塩素酸を含む電解水を生成する電解水生成装置と、加圧空気を送風する送風機と、前記電解水生成装置から電解水流路を介して供給された電解水と前記送風機から空気流路を介して供給された加圧空気とを混合し、微細ミストの電解水を含む加圧空気を噴出する気液混合器とを備え、前記空気流路には放電装置が組み込まれていることを特徴とする。
【０００９】
第３の発明は、第１又は第２の空気除菌装置に係る発明において、前記電解水流路及び空気流路にはそれぞれ流量調整手段が設けられていることを特徴とする。
【００１０】
第４の発明は、第１乃至第３の発明のうち、いずれかの空気除菌装置に係る発明において、前記微細ミストは、５乃至２０μｍの粒径のものを含むことを特徴とする。
【００１１】
第５の発明は、第１乃至第４の発明のうち、いずれかの空気除菌装置に係る発明において、前記電解水の塩素濃度を１乃至１０ｐｐｍとしたことを特徴とする。
【００１２】
第６の発明は、第５の空気除菌装置に係る発明において、所定空間内の相対湿度上昇が１〜５％となるようなミスト量の微細ミストを前記気液混合器から噴出することを特徴とする。
【発明の効果】
【００１３】
第１の発明によれば、電解水生成装置で生成した次亜塩素酸を含む電解水と送風機からの加圧空気とが気液混合器で混合され、微細ミストの電解水を含む加圧空気を噴出するようにしたので、超音波振動子やフィルターを用いるもののように多量の電解水をミスト状にして放出させる必要がなくなり、室内の湿度上昇が防止できるとともに、適度な次亜塩素酸濃度の電解水ミストを室内に供給して除菌効果を高めることができる。
【００１４】
第２の発明によれば、加圧空気には放電装置によって生成されたＯＨラジカルが含まれているので、ＯＨラジカルと適度な濃度の電解水ミストを室内に供給して除菌効果をさらに高めることができ、更に第３の発明によれば、気液混合器で混合される電解水と空気の混合比を流量調整手段で調整し、室内の除菌を効率よく行うことができる。
【００１５】
また、第４の発明によれば、微細ミストは、５乃至２０μｍの粒径のものを５０％以上含むことにより、効率よく拡散するため、所定空間の除菌を効率良く行うことができる。更に、第５の発明によれば、電解水の次亜塩素酸濃度を１乃至１０ｐｐｍとすることにより、少ない量で除菌が効率良く行うことができる。このため、第６の発明によれば、所定空間の湿度がほとんど上がらない。
【図面の簡単な説明】
【００１６】
【図１】空気除菌装置の第１の実施形態の説明に適用される概略構成説明図である。
【図２】空気除菌装置の第２の実施形態の説明に適用される概略構成説明図である。
【図３】微細ミストの粒径の分布を表した図である。
【図４】５乃至２０μｍの粒径の微細ミストを噴霧して、所定空間の浮遊菌数の経時変化を表した図である。
【発明を実施するための形態】
【００１７】
以下、本発明を実施するための第１の実施形態について、図１を参照しながら説明する。１は給水管２から塩水や水道水のように塩素イオンを含む水が供給される電解水生成装置であり、この電解水生成装置１は電解用電極３、４を内蔵し、電気分解を行うことによって適度な次亜塩素酸濃度、例えば１乃至１００ｍｇ／Ｌ（１リットル当り１００ｍｇ）の電解水を生成するものである。
【００１８】
５は前記電解水生成装置１で生成された次亜塩素酸を含む電解水を気液混合器６に供給する電解水流路であり、この電解水流路５には流量調整手段としての電解水量調節バルブ７が設けられている。
【００１９】
８は適度な吐出圧（例えば、３００ＫＰａ程度）に設定された加圧空気を供給する送風機であり、送風機８の加圧空気は流量調整手段としての空気流量調節バルブ９を有する空気流路１０を介して噴射ノズルで構成された気液混合器６に供給されている。
【００２０】
前記気液混合器６は、空気流路１０からの加圧空気を吐出口６Ａから勢いよく噴出することにより、電解水流路５からの電解水が吐出口６Ａからの加圧空気に誘引され、所定粒径の微細ミストとなって加圧空気とともに噴出する。具体的には、図３に示すように、微細ミストの粒径分布として、５乃至２０μｍの粒径が約９０％占める微細ミストを噴霧した。また、気液混合器６での電解水と空気との混合容積比は、電解水量調節バルブ７と空気流量調節バルブ９とにより１：２００〜７００程度に設定されている。
【００２１】
図４は、５乃至２０μｍの粒径の微細ミストを噴霧して、所定空間の浮遊菌数の経時変化を表した図である。無処理（イオン交換水のみで、次亜塩素酸を含まない）、水道水（次亜塩素酸濃度：０．２ｍｇ／Ｌ）、次亜塩素酸濃度として、１ｍｇ／Ｌ、１０ｍｇ／Ｌ、及び１００ｍｇ／Ｌとした場合、無処理、水道水、及び次亜塩素酸濃度：１ｍｇ／Ｌについては、略横ばいの傾向を表しており、浮遊菌数は減少していない。
【００２２】
これに対して、次亜塩素酸濃度：１０ｍｇ／Ｌ、及び１００ｍｇ／Ｌとした場合、浮遊菌数は時間と共に減少傾向を表している。また、１０ｍｇ／Ｌと１００ｍｇ／Ｌに大きな差異はないことより、１０ｍｇ/Ｌ以上では濃度依存性はないことを示している。
【００２３】
上述した空気除菌装置では、気液混合器６にて加圧空気と次亜塩素酸を含む電解水とが混合され、電解水が微細ミストとなって加圧空気とともに室内空間に噴出するようにしているので、電解水生成装置１で生成される電解水の次亜塩素酸濃度を適度に高めることができ、超音波振動子やフィルターを用いるもののように多量の電解水をミスト状にして放出させる必要がなくなり、室内の湿度上昇が防止できるとともに、適度な次亜塩素酸濃度で、かつ少量の電解水ミストを室内に供給して除菌効果を高めることができる。具体的には、所定空間の湿度が５０〜８０％、室温が１５〜３５℃の条件の場合、次亜塩素酸濃度：１０ｍｇ／Ｌ（１０ｐｐｍ）の噴霧であれば、湿度の上昇は１〜５％に抑えることができる。しかし、たとえば次亜塩素酸濃度：０．５ｍｇ／Ｌ（０．５ｐｐｍ）の微細ミストに等量換算すれば、約２０倍の量の噴霧が必要になり、３５℃条件下では、この噴霧量の場合、所定空間内が飽和するため、噴霧することが不可能になる。
【００２４】
また、気液混合器６で混合される電解水と空気の混合比を電解水量調節バルブ７と空気流量調節バルブ９とで調整し、微細ミストの粒径を適度な大きさにすることができるとともに、電解水の噴出量を調整して室内の除菌を効率よく行うことができる。即ち、室内空間の存在する細菌、ウィルス、真菌等の空気浮遊微生物を効率よく除去できる。
【００２５】
次に、本発明を実施するための第２の実施形態について、図２を参照しながら説明するが、第１の実施形態と異なる点について、以下説明する。図２の空気除菌装置では空気流路１０が途中で分岐され、その分岐路１０Ａに前記空気流量調節バルブ９と、オゾン発生装置等の放電装置１１が設けられている。
【００２６】
この放電装置１１は放電電圧を調整することにより、環境安全性を満たしたオゾン等のＯＨラジカル（以下、「オゾン等」という。）を発生することができる。このため、気液混合器６において、オゾン等を含む加圧空気と次亜塩素酸を含む電解水とが混合され、電解水が微細ミストとなって加圧空気とともに室内空間に噴出されることとなる。従って、除菌効果をさらに高めることができる。
【００２７】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２８】
１          電解水生成装置
５          電解水流路
６          気液混合器
７          電解水量調節バルブ（流量調整手段）
８          送風機
９          空気流量調節バルブ（流量調整手段）
１０        空気流路
１１        放電装置
【図１】
2011087905.tif 000003
【図２】
2011087905.tif 000004
【図３】
2011087905.tif 000005
【図４】
2011087905.tif 000006